【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
端末と基地局との間の順方向および逆方向無線交信のうちの少なくとも１つのために、少なくとも１つのインタレース内の時間間隔を予約するための方法であって、
端末に対する干渉状態をサービス基地局に報告することと、なお、前記干渉状態は、少なくとも１つの非サービス基地局から生じ、前記端末によって観測されたものである、
前記干渉基地局に前記少なくとも１つのインタレース内の時間間隔をクリアすることを要求する予約要求が、前記端末と前記サービス基地局との間の交信のために前記クリアされた時間間隔を予約するために、前記端末または前記サービス基地局のうちの１つから前記少なくとも１つの非サービス基地局に送信されるようにすることと、
前記予約要求が前記非サービス基地局によって許可された場合、前記予約時間間隔内で前記端末と前記サービス基地局との間で交信することと、なお、前記予約時間間隔は、前記少なくとも１つの非サービス基地局からの低下した干渉を有する、
を備える方法。
【請求項２】
前記予約時間間隔は、前記サービス基地局のために予約された少なくとも１つのインタレース内のフレームに対応する、請求項１に記載の方法。
【請求項３】
前記干渉状態を報告することは、
前記少なくとも１つの非サービス基地局の少なくとも受信電力を測定することと、
前記少なくとも１つの非サービス基地局の前記測定された受信電力を前記サービス基地局へ送信することと
を備える、請求項１に記載の方法。
【請求項４】
前記干渉状態を報告することは、前記少なくとも１つの非サービス基地局の識別子（ＩＤ）を前記サービス基地局へ送信することをさらに備える、請求項３に記載の方法。
【請求項５】
前記干渉基地局の受信電力を測定することは、
前記少なくとも１つの非サービス基地局からパイロット信号を受信することと、
前記パイロット信号の受信電力を測定することと
を備える、請求項３に記載の方法。
【請求項６】
前記少なくとも１つの非サービス基地局によって送信される低再利用プリアンブル（ＬＲＰ）信号のために用いられる時間期間との関係が非オーバラップまたは擬似ランダムである時間期間に前記サービス基地局によって送信されるＬＲＰ信号に基づいて、前記サービス基地局を検出すること
をさらに備える、請求項１に記載の方法。
【請求項７】
前記予約要求は、レイヤ２（Ｌ２）メッセージまたはレイヤ３（Ｌ３）メッセージを備える、請求項１に記載の方法。
【請求項８】
前記予約時間間隔は、順方向リンク交信のために予約された第１の時間間隔と、逆方向リンク交信のために予約された第２の時間間隔とを備え、前記サービス基地局と交信することは、前記第１の時間間隔で順方向リンクデータおよび制御情報を前記サービス基地局から受信することと、前記第２の時間間隔で逆方向リンクデータおよび制御情報を前記サービス基地局へ送信することとを備える、請求項１に記載の方法。
【請求項９】
前記サービス基地局と交信することは、前記予約時間間隔内の周波数資源のすべてまたはサブセットで前記サービス基地局と交信することを備え、前記予約時間間隔内の残余の周波数資源は、前記端末が前記少なくとも１つの非サービス基地局からの大きい干渉を観測している場合には前記少なくとも１つの非サービス基地局によって用いられず、前記端末が前記少なくとも１つの非サービス基地局からの大きい干渉を観測していない場合には前記少なくとも１つの非サービス基地局によって用いられ得る、請求項１に記載の方法。
【請求項１０】
前記少なくとも１つの非サービス基地局は、前記サービス基地局の送信電力および伝搬路損失より高い送信電力および高い伝搬路損失を有する、請求項１に記載の方法。
【請求項１１】
前記少なくとも１つの非サービス基地局は、制約付関係を有し、前記端末は、前記少なくとも１つの非サービス基地局との接続を許可されない、請求項１に記載の方法。
【請求項１２】
端末と基地局との間の順方向および逆方向無線交信のうちの少なくとも１つのために、少なくとも１つのインタレース内の時間間隔を予約するための前記端末における装置であって、
端末に対する干渉状態をサービス基地局に報告し、なお、前記干渉状態は、少なくとも１つの非サービス基地局から生じ、前記端末によって観測されたものであり、
前記干渉基地局に前記少なくとも１つのインタレース内の時間間隔をクリアすることを要求する予約要求が、前記端末と前記サービス基地局との間の交信のために前記クリアされた時間間隔を予約するために、前記端末または前記サービス基地局のうちの１つから前記少なくとも１つの非サービス基地局に送信されるようにし、
前記予約要求が前記非サービス基地局によって許可された場合、前記予約時間間隔内で前記端末と前記サービス基地局との間で交信し、なお、前記予約時間間隔は、前記少なくとも１つの非サービス基地局からの低下した干渉を有する、
ように構成された少なくとも１つのプロセッサを備える装置。
【請求項１３】
前記少なくとも１つのプロセッサは、前記少なくとも１つの非サービス基地局の受信電力を測定するように、かつ前記少なくとも１つの非サービス基地局の前記測定された受信電力を前記サービス基地局へ送信するように構成された、請求項１２に記載の装置。
【請求項１４】
前記予約時間間隔は、順方向リンク交信のために予約された第１の時間間隔と、逆方向リンク交信のために予約された第２の時間間隔とを備え、前記サービス基地局と交信することは、前記第１の時間間隔で順方向リンクデータおよび制御情報を前記サービス基地局から受信することと、前記第２の時間間隔で逆方向リンクデータおよび制御情報を前記サービス基地局へ送信することとを備える、請求項１２に記載の装置。
【請求項１５】
端末と基地局との間の順方向および逆方向無線交信のうちの少なくとも１つのために、少なくとも１つのインタレース内の時間間隔を予約するための前記端末における装置であって、
端末に対する干渉状態をサービス基地局に報告するための手段と、なお、前記干渉状態は、少なくとも１つの非サービス基地局から生じ、前記端末によって観測されたものである、
前記干渉基地局に前記少なくとも１つのインタレース内の時間間隔をクリアすることを要求する予約要求が、前記端末と前記サービス基地局との間の交信のために前記クリアされた時間間隔を予約するために、前記端末または前記サービス基地局のうちの１つから前記少なくとも１つの非サービス基地局に送信されるようにするための手段と、
前記予約要求が前記非サービス基地局によって許可された場合、前記予約時間間隔内で前記端末と前記サービス基地局との間で交信するための手段と、なお、前記予約時間間隔は、前記少なくとも１つの非サービス基地局からの低下した干渉を有する、
を備える装置。
【請求項１６】
前記干渉状態を報告するための手段は、
前記少なくとも１つの非サービス基地局の受信電力を測定するための手段と、
前記少なくとも１つの非サービス基地局の前記測定された受信電力を前記サービス基地局へ送信するための手段と
を備える、請求項１５に記載の装置。
【請求項１７】
前記予約時間間隔は、順方向リンク交信のために予約された第１の時間間隔と、逆方向リンク交信のために予約された第２の時間間隔とを備え、前記サービス基地局と交信することは、前記第１の時間間隔で順方向リンクデータおよび制御情報を前記サービス基地局から受信することと、前記第２の時間間隔で逆方向リンクデータおよび制御情報を前記サービス基地局へ送信することとを備える、請求項１５に記載の装置。
【請求項１８】
端末と基地局との間の順方向および逆方向無線交信のうちの少なくとも１つのために、少なくとも１つのインタレース内の時間間隔を予約するための前記端末における使用のためのコンピュータプログラムであって、
少なくとも１つの計算機に、端末に対する干渉状態をサービス基地局に報告させるためのコードと、なお、前記干渉状態は、少なくとも１つの非サービス基地局から生じ、前記端末によって観測されたものである、
少なくとも１つの計算機に、前記干渉基地局に前記少なくとも１つのインタレース内の時間間隔をクリアすることを要求する予約要求が前記端末と前記サービス基地局との間の交信のために前記クリアされた時間間隔を予約するために前記端末または前記サービス基地局のうちの１つから前記少なくとも１つの非サービス基地局に送信されるようにすることを、開始させるためのコードと、
少なくとも１つの計算機に、前記予約要求が前記非サービス基地局によって許可された場合、前記予約時間間隔内で前記端末と前記サービス基地局との間の交信を引き起こさせるためのコードと、なお、前記予約時間間隔は、前記少なくとも１つの非サービス基地局からの低下した干渉を有する、
を備えるコンピュータプログラム。
【請求項１９】
端末と前記端末にサービスするサービス基地局との間の順方向および逆方向無線交信のうちの少なくとも１つのために、少なくとも１つのインタレース内の時間間隔を予約するための方法であって、
サービス基地局によってサービスされる端末によって観測され、前記端末から受信された、少なくとも１つの非サービス基地局によって引き起こされた少なくとも１つの干渉状態に基づいて、前記サービス基地局のために予約される予約時間間隔を決定することと、
前記予約時間間隔内で前記サービス基地局と前記端末との間で交信することと
を備える方法。
【請求項２０】
前記予約時間間隔を求める要求を前記サービス基地局から前記非サービス基地局に送信することと、
前記非サービス基地局から前記要求を許可するかどうかを交信する応答を受信することと
をさらに備える、請求項１９に記載の方法。
【請求項２１】
前記少なくとも１つの干渉状態が、前記端末が前記少なくとも１つの非サービス基地局からの大きな干渉を観測していることを示す場合、前記サービス基地局のために時間間隔を予約することと、
前記少なくとも１つの干渉状態が、前記端末が前記少なくとも１つの非サービス基地局からの大きな干渉を観測していないことを示す場合、前記端末との交信のために時間および周波数資源を予約することと
をさらに備える、請求項１９に記載の方法。
【請求項２２】
前記少なくとも１つの非サービス基地局からの低下した干渉を有する前記予約時間間隔内で前記サービス基地局から放送送信を送信すること
をさらに備える、請求項１９に記載の方法。
【請求項２３】
前記放送送信のために前記予約時間間隔内の干渉を低下させるように前記少なくとも１つの非サービス基地局に要求するメッセージが前記少なくとも１つの非サービス基地局へ送信されるようにすること
をさらに備える、請求項２２に記載の方法。
【請求項２４】
前記少なくとも１つの非サービス基地局によって前記予約時間間隔内で送信される送信の送信電力を低下させることにより、前記予約時間間隔内の干渉を低下させることをさらに備える、請求項１９に記載の方法。
【請求項２５】
前記予約時間間隔内で送信される前記少なくとも１つの非サービス基地局からの送信をビームステアリングして前記端末とは異なる方向に前記送信を偏向させることにより、前記予約時間間隔内の干渉を低下させることをさらに備える、請求項１９に記載の方法。
【請求項２６】
サービス基地局と端末との間の順方向および逆方向無線交信のうちの少なくとも１つのために、少なくとも１つのインタレース内の時間間隔を予約するための前記基地局における装置であって、
サービス基地局によってサービスされる端末によって観測され、前記端末から受信された、少なくとも１つの非サービス基地局によって引き起こされた少なくとも１つの干渉状態に基づいて、前記サービス基地局のために予約される予約時間間隔を決定し、
前記予約時間間隔内で前記サービス基地局と前記端末との間の交信をもたらす
ように構成された少なくとも１つのプロセッサを備える装置。